(57)【要約】      （修正有）【課題】建物の外観及び施工性に優れた幕板材、及び該幕板材を備える外壁を提供する。【解決手段】建物外周に並列される板状の外壁材と同時に使用される板状の幕板材１０であって、外壁材よりも厚く形成されるとともに、少なくとも一端面に外壁材と同一の連結形状である係合部１３、１４を有し、少なくとも一端部の裏面１２側に外壁材の厚さよりも大きな深さを具備する切り欠きを形成するよう表面１１側に設けられるかぶせ片１５を備えるものとする。【選択図】図２
2009133155.tif 000002
【特許請求の範囲】
【請求項１】
建物外周に並列される板状の外壁材と同時に使用される板状の幕板材であって、
前記外壁材よりも厚く形成されるとともに、少なくとも一端面に前記外壁材と同一の連結形状である係合部を有し、さらに少なくとも一端部の裏面側に前記外壁材の厚さよりも大きな深さを具備する切り欠きを形成するように表面側に設けられる片であるかぶせ片を備える幕板材。
【請求項２】
前記一端面とは反対側の他端面にも前記外壁材と同一の連結形状である係合部を有していることを特徴とする請求項１に記載の幕板材。
【請求項３】
前記係合部が端面から突出する突起により形成されることを特徴とする請求項１又は２に記載の幕板材。
【請求項４】
前記係合部を有しない端面は合じゃくり形状とされていることを特徴とする請求項１〜３のいずれか一項に記載の幕板材。
【請求項５】
請求項１〜４のいずれか一項に記載の幕板材と、
前記幕板材の上下に配置される板状の前記外壁材とを備え、
前記幕板材の裏面及び前記外壁材の裏面が面一となるように並列されるとともに、前記幕板材の下方に隣り合う外壁材の上端が前記幕板材の前記切り欠き部内に包含されるように配置されることを特徴とする外壁。
【発明の詳細な説明】
【技術分野】
【０００１】
本発明は、建物外壁に沿って配置される幕板材及び該幕板材を備える外壁に関し、詳しくは施工性、耐久性及び意匠性を向上させることができる幕板材及び該幕板材を備える外壁に関する。
【背景技術】
【０００２】
従来において、例えば１階と２階との間に相当する部分、又はその他の部分における建物外壁に幕板材や化粧胴差が外壁材とは別に配置されることがよく知られている。これは、所定の大きさの板材が例えば建物の外壁に沿って水平に並列されて一筋の帯を形成し、これにより建物外観にアクセントを与え、建物の美観を向上させることができるというものである。
【０００３】
これまでの幕板材は建物外周に外壁材を配置した後に室外側からビスや釘により直接留め付けたり、特殊な冶具や取付具によって外壁材の上から固定したりするものであった。また、特許文献１には、上下の外壁材間に配置される化粧胴差が開示されている。
【０００４】
【特許文献１】特許第３４８４４７６号公報
【発明の開示】
【発明が解決しようとする課題】
【０００５】
しかしながら、従来の幕板材では一度外壁材を施工した上に別の部材として該幕板材を取り付けるので、２重構造となり部品点数及び施工工数の増加があった。また、幕板材が重ねられた外壁材の部分には幕板材の取り付けのための孔が開くので雨水の侵入があったり、太くて長いくぎを使用しなければならないことによる耐久性の低下等があった。
【０００６】
また、特許文献１に記載の化粧胴差では、専用の取付具を必要とし、その取付及び施工に手間がかかることについては上記と同様であった。
【０００７】
さらに、幕板を建物に取り付ける位置は、外壁材の配置により影響を受けることがあり、当該幕板の取り付け位置の自由度が低かった。
【０００８】
そこで本発明は、上記問題点に鑑み、建物の外観、耐久性及び施工性に優れた幕板材、及び該幕板材を備える外壁を提供することを課題とする。
【課題を解決するための手段】
【０００９】
以下、本発明について説明する。なお、本発明の理解を容易にするために添付図面の参照符号を括弧書きにて付記するが、それにより本発明が図示の形態に限定されるものではない。
【００１０】
請求項１に記載の発明は、建物（１）外周に並列される板状の外壁材（６、６、…）と同時に使用される板状の幕板材（１０）であって、外壁材よりも厚く形成されるとともに、少なくとも一端面に外壁材と同一の連結形状である係合部（１３、１４）を有し、さらに少なくとも一端部の裏面（１２）側に外壁材の厚さよりも大きな深さを具備する切り欠き（Ｅ）を形成するように表面（１１）側に設けられる片であるかぶせ片（１５）を備える幕板材を提供することにより前記課題を解決する。
【００１１】
ここで、幕板材における「表面」とは、該幕板材が建物に取り付けられた姿勢で室外側に配置される面で装飾が施された面を意味する。一方、幕板材における「裏面」とは、表面に対向する面で、幕板材が建物に取り付けられた姿勢で室内側に面して配置される面である。また、切り欠きにおける「深さ」とは、当該切り欠きにおける幕板材の厚さ方向の大きさを意味し、具体的にはかぶせ片の室内側面と幕板材の裏面との距離である。
【００１２】
また、通常「幕板材」とは、建物に水平に長く帯状に具備される「幕板」のための部材を意味し、建物の垂直方向に長く帯状に配置されるための部材は「付け柱材」と称することが多い。しかし、ここでは、「幕板材」の中に「付け柱材」としての態様も含むものとする。
【００１３】
請求項２に記載の発明は、請求項１に記載の幕板材（１０）における一端面とは反対側の他端面にも外壁材（６、６、…）と同一の連結形状である係合部（１３、１４）を有していることを特徴とする。
【００１４】
請求項３に記載の発明は、請求項１又は２に記載の幕板材（１０）における係合部（１３、１４）が端面から突出する突起により形成されることを特徴とする。
【００１５】
請求項４に記載の発明は、請求項１〜３のいずれか一項に記載の幕板材（１０）における係合部（１３、１４）を有しない端面は合じゃくり形状とされていることを特徴とする。
【００１６】
ここで「合じゃくり形状」とは、通常の意味で用いられる合じゃくりを意味し、詳しくは、隣り合う板の端面を二枚とも厚みの略半分だけ削り取った形状とすることにより、該二枚の端部を相互に組み合わせ可能にしたものである。
【００１７】
請求項５に記載の発明は、請求項１〜４のいずれか一項に記載の幕板材（１０）と、幕板材の上下に配置される板状の外壁材（６、６、…）とを備え、幕板材の裏面（１２）及び外壁材の裏面（６ｂ、６ｂ、…）が面一となるように並列されるとともに、幕板材の下方に隣り合う外壁材の上端が幕板材の切り欠き部（Ｅ）内に包含されるように配置されることを特徴とする外壁を提供することにより前記課題を解決する。
【００１８】
ここで外壁材の「裏面」とは、外壁材が建物に取り付けられた姿勢で室内側に面して配置される面で、外壁材が建物に取り付けられた姿勢で室外側に配置されて意匠面とされる「表面」に対向する面である。
【発明の効果】
【００１９】
本発明の幕板材及び該幕板材を備える外壁によれば、幕板材が、幕板材に隣接して配置される外装材に、該外装材と同じように連結することができるので、幕板材を外装材と外装材との間に連続して配置することが可能となる。これにより従来のような二重構造とならずに部材の削減をすることができる。また、幕板材の取り付けの際にも幕板材に孔等を開ける必要がなく、雨水の侵入を防止するとともに、耐久性を向上させることも可能となる。また、幕板材は外装材よりも厚く形成されているので、このように配置しても従来の幕板材と同じような外観を得ることができる。
【００２０】
さらに、かぶせ片により該かぶせ片の室内側に存する切り欠き部内に外壁材の端部を隠蔽させることができる。これにより例えば、幕板材を施工したい位置に施工するために下方に隣接する外装材の上部を切断し、切断後の上部を釘止め施工すれば、該切断した外装材の切断端面及び釘等を室外視から隠蔽させることが可能となる。従って、外壁材によらず希望する位置に幕板を施工することができ、外壁材の施工自由度を向上させることができるようになる。また、他にも施工誤差により外壁材の端部にずれが生じてもこれを室外視から見えなくすることも可能となるので、意匠性にも優れたものとなる。また、このように施工誤差に関して施工精度を緩やかに設定することも可能なので、かかる観点から施工性を向上させることもできるといえる。
【００２１】
本発明のこのような作用及び利得は、次に説明する発明を実施するための最良の形態から明らかにされる。
【発明を実施するための最良の形態】
【００２２】
以下、本発明を図面に示す実施形態に基づき説明する。ただし本発明は当該実施形態に限定されるものではない。
【００２３】
図１は第一実施形態に係る本発明の幕板材１０、１０、…及び該幕板材１０、１０、…を備える外壁２０を具備する建物１を一面側からみた正面図である。建物１は２階建ての建物で１階には窓２や不図示の玄関等が備えられ、２階にはバルコニー３や窓４が具備されている。また、建物１の外周には外壁材６、６、…及び幕板材１０、１０、…が配設されている。図１からは明確でないが、当該外壁材６、６、…及び幕板材１０、１０、…は、所定の縦横の大きさを有した板状の部材が建物１の外周に沿って並列されて建物１に取り付けられている。本実施形態では２階建てのいわゆる住宅を例に示したが、本発明の幕板材及び該幕板材を備える外壁を用いることができる建物はこれに限定されるものではなく、外壁材を並列させる形式のあらゆる種類の建物に適用することができる。以下、幕板材１０及び該幕板材１０を備える外壁２０について説明する。
【００２４】
図２は１枚の幕板材１０の斜視図で装飾面１１側を手前にした図である。また、図３は図２にＡ−Ａで示した線に沿った断面図、図４はＢ−Ｂで示した線に沿った断面図である。図２〜図４を参照しつつ幕板材１０について説明する。
【００２５】
幕板材１０は一方の面を装飾面（表面）１１、他方の面を取付面（裏面）１２とする板状の部材である。幕板材１０の１つの端面には、該端面に沿って設けられた係合部としての突起である係合突起１３を有している。係合突起１３は、図３に示したように幕板材１０の装飾面１１側の１つの角が切りかかれた略台形の断面を有して幕板材１０の一端面全長に亘って延在する。また、係合突起１３のうち取付面１２側の面は該取付面１２と面一となるように形成され、取付面１２の一部となっている。
【００２６】
さらに、幕板材１０の上記した係合突起１３が備えられる端面と対向する端面にも、該端面に沿って設けられた係合部としての突起である係合突起１４を有している。係合突起１４は、図３に示したように幕板材１０の装飾面１１側の１つの角が切りかかれた略台形の断面を有して幕板材１０の一端面全長に亘って延在する。また、係合突起１４のうち取付面１２側の面は該取付面１２と面一となるように形成され、取付面１２の一部となっている。
【００２７】
当該係合突起１３、１４により、幕板材１０の端部は、該幕板材１０の上下に配置される外壁材６、６、…の端面形状と同じ形状に形成されている。これにより外壁材の間に外壁材６、６、…と同様の連結方法により幕板材１０を配置することができる。幕板材１０が建物に配置された場面については外壁２０において後で詳しく説明する。
【００２８】
幕板材１０の上記した係合突起１４が備えられる端面と同じ端面のうち、係合突起１４より装飾面１１側には、端面に沿って設けられた突出した片であるかぶせ片１５が設けられている。かぶせ片１５は、図３に示したように係合突起１４の突出方向に長い矩形断面を有しており、係合突起１４よりも大きく突出している。かぶせ片１５も係合突起１４と同様、図３に示した断面を有して幕板材１０の一端面全長に亘って延在する。また、かぶせ片１５の装飾面１１側の面は該装飾面１１に面一となるように形成され、装飾面１１の一部となっている。
【００２９】
また、図４からわかるように上記係合突起１３、１４が備えられていない幕板材１０の端面は合じゃくり１６、１７とされている。そして一方の合いじゃくり１６にはシール材１８が設けられている。当該合じゃくり形状により後述するように隣り合う幕板材１０との間で端部の連結が良好なものとなり、別途シーリング材を用いなくてもよくなる。これによりさらに耐久性を向上させることができる。ただし合じゃくり１６、１７は必ずも備えられる必要はなく、単なる平滑な端面であってもよい。このときには隣り合う幕板材１０、１０間は目地となり、ここにシーリング剤を充填することで止水構造とすることができる。ここでは、より耐久性が向上される好ましい形態として合じゃくり１６、１７が備えられる態様を説明した。
【００３０】
以上のような構成を有する幕板材１０はさらに次の特徴を有する。すなわち、図３にＣで示した幕板材１０の厚さは該幕板材１０の上下に配置される外壁材６、６、…の厚さよりも厚いものとされる。さらに、図３にＤで示したかぶせ片１５の取付面１２側の面と、取付面１２との距離も外壁材６、６、…の厚さよりも大きいものとされる。従ってここに図３にＥで示した切り欠き部が形成され、ここに外壁材６の端部を包含させることができる。これにより後述するように、外壁材６の端部を外観から隠蔽することができるので、意匠性に優れる幕板材１０とすることができる。幕板材１０及び外壁材６、６が建物に配置された場面については外壁２０において後で詳しく説明する。
【００３１】
本実施形態の幕板材１０では、その内側に材料が満たされ、中実である構成を説明したが、軽量化の目的で、溝や穴を形成することによりこの部分の材料が除去されているような形状であってもよい。これによれば軽量化が図れるため、さらに耐久性を向上させることができる。
【００３２】
ここで、幕板材１０の材質は特に限定されるものではなく、通常の幕板材に用いられるものを使用することができる。これには例えば、窯業系の幕板材、薄い金属板と紙との間に断熱材を挟み１枚の板として形成した金属系幕板材、セラミックにより形成したセラミック系、溶岩等無機系の材料、及びこれらを任意に組み合わせた幕板材等を挙げることができる。
【００３３】
次に、上記した幕板材１０が備えられる外壁２０について説明する。図５は、外壁２０及び柱７を含む垂直断面のうち幕板材１０が備えられた部位に注目した図である。図６は幕板材１０を含む外壁２０及び柱７、７の水平断面である。図５において紙面左が室外側、紙面右が室内側であり、紙面上下が建物の上下方向である。図６では紙面下が室外側、紙面上が室内側である。実際の建物では、室外から室内間には図示したものの他に断熱材等の他の部材が配置されることがあるが、見易さのためここでは省略する。以下、図５、図６及び適宜示す図を参照しつつ外壁２０について説明する。外壁２０は、縦胴縁２１、取付具２２、２２、外壁材６、６、及び幕板材１０を備えている。
【００３４】
縦胴縁２１は、柱７の室外側面に沿って取り付けられる棒状の部材である。これにより外壁材６、６及び幕板材１０、１０、…と柱７、７との間に所定の間隙が形成され、通気路、及び排水路を確保することが可能となる。ここで用いられる縦胴縁は通常の外壁に用いられるものでよく、特に限定されない。従って本実施形態では縦胴縁が使用されているが、柱間を渡すように水平に並列される横胴縁であっても本発明の外壁に用いることができる。ここで、柱７、７、…と胴縁２１、２１、…との間に挟まれるとともに、縦胴縁２１、２１、…間を渡すように透湿シート２４が配置されてもよい。
【００３５】
取付具２２、２２は、外壁材６、６、…及び幕板材１０、１０、…を縦胴縁２１に固定するための部材であり、固定部材２３、２３により縦胴縁２１の室外側面に固定される。図７は、図５にＦで示した部分を拡大して示し、取付具２２のみを実線で示した図である。図７からわかるように、その断面において取付具２２は縦胴縁２１の室外側面に沿って取り付けられる基部２２ａを有している。さらに基部２２ａの室外側面からは３つの片２２ｂ、２２ｃ、２２ｄからなり、室外側に開くような向きのＹ字状に形成された被係合部２２ｅを有している。そして、基部２２ａの下端には室外側に折り返すように片２２ｆが設けられている。被係合片２２ｅには後述するように外壁材６、６及び幕板材１０の端部が係合して配置される。
【００３６】
外壁材６、６は、外壁を形成する板状の部材でいわゆるサイディングである。外壁材６、６は、室外側に配置される意匠面（表面）６ａ、及びこれに対向する面で室内側に配置される取付面（裏面）６ｂを有する。さらにその上下端面には幕板材１０において説明した係合突起１３、１４と同じ形状を有する係合突起６ｃ、６ｄを備えている。外壁材６、６が建物外周に取り付けられる際には、上端面に備えられる係合突起６ｃを上述した取付部材２２の被係合部２２ｅの下側面から突き上げるように接触させて配置する。さらに下端面に備えられる係合突起６ｄを被係合部２２ｅの上側面に乗せるように接触させて配置する。これにより係合突起６ｂ、６ｄの凸である形状と、被係合部２２ｅ、２２ｅの凹である形状とが係合して適切に外壁材６、６が建物１の外周に固定される。
【００３７】
外壁材６、６、すなわちサイディングの種類は特に限定されるものではなく、いわゆる金属サイディング、窯業サイディング、セラミックサイディング等を使用することができる。
【００３８】
幕板材１０は、装飾面１１を室外側に、取付面１２を室内側に向け、係合突起１３、１４を上下とする向きで配置される。そして取り付けの際には係合突起１３、１４を備える端面は図５に示したように、当該幕板材１０の上方、及び下方に隣り合って配置される外壁材６、６の間に取り付けられる。取り付けは、外壁材６、６と同じ方法により取付具２２、２２にその上下端を係合させて建物外周に固定される。詳しくは、上端面に備えられる係合突起１３を上述した取付部材２２の被係合部２２ｅの下側面から突き上げるように接触させて配置する。さらに下端面に備えられる係合突起１４を被係合部２２ｅの上側面に乗せるように接触させて配置する。これにより係合突起１３、１４の凸である形状と、被係合部２２ｅ、２２ｅの凹である形状とが係合して適切に幕板材１０が外壁材６、６に連続して建物１の外周に固定される。
【００３９】
一方、合じゃくりを有する端面では、図６に示したように、隣り合う幕板材１０、１０と適切に組み合わされる。このとき当該合じゃくり形状により組み合わされているとともに、シール材１８、１８により適切にシールがされているので、新たにシール材を必要とすることなく連結することができる。
【００４０】
上記したように幕板材１０が建物外周に取り付けられると、幕板材１０の上記した形状的特徴から幕板材１０の装飾面１１は外壁材６、６の意匠面６ａ、６ａより室外側に突出して配置される。また、かぶせ片１５はその全体が外壁材６より室外側に配置され、外壁材６の端部を室外視から隠蔽することができる。これにより例えば図８にＧで示したように外壁材６’に施工誤差が生じた場合であっても外観にはこれが現れないので意匠性が向上される。また、これにより施工誤差による取付精度を緩和することができ施工性を向上させることも可能となる。ただしこの際には外壁材６’の係合突起６ｃ’は取付部材２２に係合することができないので、さらなる取付部材２２’により固定することが好ましい。その他、取付部材２２’を用いない場合には直接固定部材により固定することがもできる。このとき、固定部材も室外視からは隠蔽することができるので固定部材を用いても意匠性を損なうことを回避することが可能である。
【００４１】
さらには、このような取付精度の緩和に留まらず、本発明の幕板材１０によれば該幕板材１０を施工したい位置に施工させることが可能である。具体的には図９に示したように、幕板材１０の下方に隣接する外壁材６’’はその上部が切断され、高さ方向が短くされている。すなわち幕板材１０の位置を設定した上で、外壁材６’’の高さを決めることができるので、幕板材１０を所望の位置に配置することが可能となる。また、デザイン的にも釘を隠すことが可能となる。これにより例えば図１に示したように幕板材１０、１０、…の下端をバルコニー３の下端に合わせることができる。この際、外壁材６’’の端面は切断端面とされるとともに取り付けは固定部材２３’’によりおこなわれる。しかし、かぶせ片１５により当該切断端面及び固定部材２３’’は隠蔽されるので、意匠性は維持することができる。かかる意味においても本発明は施工自由度の高い幕板材及び外壁を提供することが可能である。
【００４２】
ここまで、本発明の幕板材及び該幕板材を備える外壁の１つの実施形態として建物外壁の平面部分について説明したが、図１０（ａ）に示したように入隅部に用いられる幕板材３０、及び図１０（ｂ）に示したように出隅部に用いられる幕板材３５も本発明の幕板材とすることができる。当該幕板材３０、３５は幕板材１０が平板状であることに対し、入隅、及び出隅に合わせて所定の角度を有して２枚の幕板材が組み合わされるように形成されている。幕板材３０、３５における端面形状等については上記した幕板材１０と共通なのでここでは説明を省略する。そしてこのような幕板材３０、３５を建物の入隅及び出隅部に備えることによっても本発明の外壁とすることができる。
【００４３】
図１１は変形例にかかる外壁７０を具備する建物５１を一面側からみた正面図である。建物５１及び外壁７０では、図１示した建物１及び外壁２０に共通する部材は同じ符号を付した。外壁７０は幕板材１０、及び該幕板材１０の上方に横長の外壁材６、６、…（横張り外壁材）を備えている点は上記外壁２０と一致する。しかし、外壁７０は外壁２０と異なり、幕板材１０の下方に配置される外壁材５６、５６、…は縦長の外壁材（縦張り外壁材）である。ただし縦長の外壁材５６、５６、…であっても縦横比が外壁材６、６、…と異なるのみであり、その端面形状は上記説明と同様である。従って、外壁材５６、５６、…は幕板材１０、１０、…と上記した関係を有して構成されるので、かかる場合であっても本発明の外壁とすることができる。
【００４４】
従来においてこのように上階と下階で外壁材の縦横の張り方を変えて施工する場合、その境界にジョイントとして水切りやその他部材を必要としていたが、本発明の幕板材１０により外壁７０を施工することにより、該幕板材１０がジョイントとしても機能することができ、上記水切りやその他部材を使用する必要をなくすことができる。
【００４５】
以上、好ましい実施形態として幕板材及び該幕板材を備える外壁について説明したが、この他にも異なる形態をとることができる。外壁２０、７０は１階と２階との間部分に一筋の幕板装飾が形成されるように幕板材を配置した例であるが、これが複数の筋の幕板装飾であってもよい。図１２には外壁１２０の垂直断面の一部を示した。外壁１２０では外壁２０と共通する部材について該外壁２０と同じ符号を用いた。図１２からわかるように外壁１２０では建物の垂直方向に少なくとも３筋の水平な幕板装飾が形成される。
【００４６】
図１３は、第二実施形態に係る本発明の幕板材２１０の断面で、幕板材１０を説明した図３に対応する図である。幕板材２１０は、装飾面（表面）２１１、取付面（裏面）２１２、係合突起２１３、２１４、及びかぶせ片２１５を有する点で幕板材２１０と同じである。また、かぶせ片２１５が配置される部位における寸法Ｃ、Ｄ、及び切り欠きＥについても幕板材１０と同じである。幕板材２１０ではこれに加えてかぶせ片２１５が備えられていない端部の厚さが図１３にＨで示したように薄くされ、これが外壁材と概ね同じ厚さとなるように形成されている。このような断面形状を有する幕板材２１０でも本発明の幕板材とされ上記効果を奏するものとなる。
【００４７】
図１４は幕板材２１０が建物に配置されて外壁２２０とされた場面における外壁２２０の垂直断面図で外壁２０を説明した図５に対応する図である。外壁２２０では外壁２０と共通する部材については外壁２０と同じ符号を付した。このように幕板材２１０も幕板材１０と同様の納まりで外壁２２０を形成することができる。
【００４８】
さらに、幕板材２１０によれば、該幕板材２１０の一端は外壁材６、６、…と概ね同じ厚さで形成されているので、図１５に示したように当該薄く形成された端部をその上方に隣接する幕板材２１０のかぶせ片２１５による切り欠きに包含させることができる。これにより図１５に外壁２７０として示したように幕板材２１０、２１０、…を連続して配置することができ、太く見える幕板装飾を形成することも可能である。
【００４９】
以上説明した幕板材において、通常「幕板材」は、水平に長く配置される板状の部材を意味し、実施形態もこのようなものについて説明したが、ここでは縦長に配置されるいわゆる「付け柱材」の態様も幕板材として含まれる。すなわち図１６に示した建物３０１にのように、幕板材３１０、３１０が縦長であり、左右において外壁材と連結し、上下方向で幕板材が延在してもよい。このときには、外装材と連結する左右端面に係合部を有し、隣り合う幕板材と連結する上下端面が合じゃくり形状とされる。
【００５０】
以上、現時点においてもっとも実践的であり、かつ好ましいと思われる実施形態に関連して本発明を説明したが、本発明は、本願明細書中に開示された実施形態に限定されるものではなく、請求の範囲及び明細書全体から読み取れる発明の要旨或いは思想に反しない範囲で適宜変更可能であり、そのような変更を伴う幕板材及び該幕板材を備える外壁もまた本発明の技術的範囲に包含されるものとして理解されなければならない。
【図面の簡単な説明】
【００５１】
【図１】本発明の幕板材及び該幕板材を備える外壁を有する建物の一面側を示す正面図である。
【図２】幕板材の斜視図である。
【図３】幕板材のＡ−Ａ断面図である。
【図４】幕板材のＢ−Ｂ断面図である。
【図５】外壁及び柱の垂直断面図のうち幕板材が配置された部分に注目した図である。
【図６】外壁及び柱の水平断面図のうち幕板材が配置された部分に注目した図である。
【図７】取付具を説明するための図である。
【図８】外壁材の他の施工例を説明するための図である。
【図９】外壁材の他の施工例を説明するための図である。
【図１０】入隅（図１０（ａ））及び出隅（図１０（ｂ））に用いられる本発明の幕板材を示した斜視図である。
【図１１】変形例にかかる本発明の外壁を有する建物の一面側を示す正面図である。
【図１２】外壁の他の態様を説明するための図である。
【図１３】第二実施形態にかかる本発明の幕板材の断面図である。
【図１４】図１３に示した幕板材を備える外壁の垂直断面図である。
【図１５】図１３に示した幕板材を備える他の外壁の垂直断面図である。
【図１６】縦張りの幕板が備えられた建物の例を示す図である。
【符号の説明】
【００５２】
１  建物
２  窓
３  バルコニー
４  窓
６  外壁材
６ａ  装飾面（表面）
６ｂ  取付面（裏面）
７  柱
１０、２１０  幕板材
１１、２１１  装飾面（表面）
１２、２１２  取付面（裏面）
１３、２１３  係合突起
１４、２１４  係合突起
１５、２１５  かぶせ片
１６  合じゃくり
１７  合じゃくり
２０、２２０  外壁
２１  縦胴縁
２２  取付具
２２ｅ  被係合部
２３  固定手段
【図１】
2009133155.tif 000003
【図２】
2009133155.tif 000004
【図３】
2009133155.tif 000005
【図４】
2009133155.tif 000006
【図５】
2009133155.tif 000007
【図６】
2009133155.tif 000008
【図７】
2009133155.tif 000009
【図８】
2009133155.tif 000010
【図９】
2009133155.tif 000011
【図１０】
2009133155.tif 000012
【図１１】
2009133155.tif 000013
【図１２】
2009133155.tif 000014
【図１３】
2009133155.tif 000015
【図１４】
2009133155.tif 000016
【図１５】
2009133155.tif 000017
【図１６】
2009133155.tif 000018